(57)【特許請求の範囲】
【請求項１】
カメラと、
前記カメラを制御するカメラ機能処理部と、
他の端末機と移動通信動作を行う移動通信機能処理部と、
電源遮断信号に応答して前記カメラ機能処理部の電源を遮断させる電源制御部と、
近距離通信を利用して外部の無線認証要請信号に応答して端末機固有ＩＤ情報または前記カメラの存在情報を無線で伝送し、これに対応する前記外部からの無線によるカメラの無線カメラ電源遮断要請信号に応答して前記電源遮断信号を発生させる近距離通信インタフェース部と、を具備することを特徴とする移動通信端末機。
【請求項２】
前記近距離通信インタフェース部は、
ユーザが前記端末機を保安区域から外に持って行く時、外部からの無線カメラ電源遮断解除信号に応答して電源遮断解除信号を発生させ、所定のレジスタは前記電源遮断解除信号を保存して、これに応答して前記電源制御部が前記カメラ機能処理部の電源遮断を解除することを特徴とする請求項１に記載の移動通信端末機。
【請求項３】
前記電源遮断信号は、
所定のレジスタに保存された後、前記端末機に電源が供給される時に前記電源制御部に出力されることを特徴とする請求項１に記載の移動通信端末機。
【請求項４】
前記近距離通信インタフェース部は、
ＲＦＩＤ／ＩＣタグを利用して双方向近距離通信を行うことを特徴とする請求項１に記載の移動通信端末機。
【請求項５】
カメラと、
前記カメラに接続されてカメラモードに転換するキー入力信号に応答して、イネーブルビット信号の論理状態によって選択的に前記カメラ機能を動作させるか動作させないとともに、前記イネーブルビット信号が第１論理状態であれば前記カメラ機能をディセーブルさせ、前記イネーブルビット信号が第２論理状態であれば前記カメラ機能をイネーブルさせるカメラ機能処理部と、
前記カメラ機能処理部に接続されて通信モードに転換するキー入力信号に応答して、他の端末機と移動通信動作を行う移動通信機能処理部と、
前記カメラ機能処理部と前記移動通信機能処理部とに前記カメラモードまたは前記通信モードに転換するキー入力信号を発生させるキー入力部と、
近距離通信を利用して外部からの無線認証要請信号に応答する端末機固有ＩＤ情報またはカメラ存在情報を無線で伝送し、これに対応する前記外部からの無線ディセーブル設定要請信号に応答してディセーブル設定信号を発生させる近距離通信インタフェース部と、
前記近距離通信インタフェース部からの前記ディセーブル設定信号に対応する前記第１論理状態を有する前記イネーブルビット信号を前記カメラ機能処理部に生成するイネーブルビット設定部と、を具備することを特徴とする移動通信端末機。
【請求項６】
前記近距離通信インタフェース部は、
前記端末機が保安区域の外に出る時、外部からの無線イネーブル設定要請信号に応答してイネーブル設定信号を発生させ、前記イネーブルビット設定部は前記イネーブル設定信号に対応する前記第２論理状態を有するイネーブルビット信号を生成し、これに応答して前記カメラ機能処理部がカメラ機能を復帰させることを特徴とする請求項５に記載の移動通信端末機。
【請求項７】
前記カメラは、
前記イネーブルビット信号が第１論理状態であれば、特定パターンを表示できる映像信号を出力することを特徴とする請求項５に記載の移動通信端末機。
【請求項８】
前記カメラは、
前記カメラ機能の動作時に、端末機固有ＩＤ情報が処理されたデジタルウォータマークを映像信号に挿入することを特徴とする請求項５に記載の移動通信端末機。
【請求項９】
前記移動通信端末機は、
ディスプレイ信号を処理して表示する表示部をさらに具備し、
前記カメラ機能処理部は前記カメラから出力される映像信号を処理して前記ディスプレイ信号を生成することを特徴とする請求項５に記載の移動通信端末機。
【請求項１０】
前記カメラモードに転換するキー入力信号は、
前記表示部に表示されるモードメニューを通したユーザの選択によって発生することを特徴とする請求項９に記載の移動通信端末機。
【請求項１１】
前記カメラモードに転換するキー入力信号は、
前記移動通信端末機上に設置された所定の短縮キーをユーザが選択する時に発生することを特徴とする請求項５に記載の移動通信端末機。
【請求項１２】
前記近距離通信インタフェース部は、
ＲＦＩＤ／ＩＣタグを利用して双方向近距離通信を行うことを特徴とする請求項５に記載の移動通信端末機。
【請求項１３】
請求項１〜４いずれかに記載の移動通信端末機と、
前記移動通信端末機との近距離通信を通じて前記無線認証要請信号を伝送し、前記端末機固有ＩＤ情報またはカメラ存在情報を受信して前記端末機がカメラを内蔵していると判断すれば、前記端末機内のカメラ電源遮断を要請する前記無線カメラ電源遮断要請信号を発生させて伝送する前記外部である検索装置と、
前記端末機がカメラを内蔵している場合に、カメラ存在情報を表示する表示装置と、を具備することを特徴とする移動通信端末機検索システム。
【請求項１４】
前記検索装置は、
カメラ内蔵端末機のＩＤを保存するＩＤメモリ部と、
前記端末機固有ＩＤ情報が前記ＩＤメモリ部のＩＤのうち何れか１つであると判断するか、前記カメラ存在情報を受信すれば、前記無線カメラ電源遮断要請信号を発生させる制御部と、
前記無線認証要請信号及び前記無線カメラ電源遮断要請信号を伝送するタグ認識モジュールと、を具備することを特徴とする請求項１３に記載の移動通信端末機検索システム。
【請求項１５】
前記制御部は、
前記移動通信端末機が保安区域の外に出ることを認識して、前記タグ認識モジュールを通じて前記端末機内のカメラ電源遮断を解除する無線信号が前記端末機に伝送されるように制御できることを特徴とする請求項１４に記載の移動通信端末機検索システム。
【請求項１６】
請求項５〜１２いずれかに記載の移動通信端末機と、
前記移動通信端末機との近距離通信を通じて前記無線認証要請信号を伝送し、前記端末機固有ＩＤ情報またはカメラ存在情報を受信して前記端末機がカメラを内蔵していると判断すれば、前記端末機内のカメラ機能のディセーブル設定を要請する前記無線ディセーブル設定要請信号を発生させて伝送する前記外部である検索装置を、具備することを特徴とする移動通信端末機検索システム。
【請求項１７】
前記検索装置は、
前記移動通信端末機が保安区域の外に出ることを認識して、前記端末機内のカメラ機能のイネーブル設定を要請する無線信号を発生させて伝送することを特徴とする請求項１６に記載の移動通信端末機検索システム。
【請求項１８】
移動通信端末機と近距離通信を行う検索装置で、無線認証要請信号を伝送する段階と、
前記移動通信端末機で、前記無線認証要請信号に応答して端末機固有ＩＤ情報またはカメラ存在情報を無線で伝送する段階と、
前記検索装置で、前記端末機固有ＩＤ情報またはカメラ存在情報を受信して前記端末機がカメラを内蔵していると判断すれば、無線カメラ電源遮断要請信号を発生させて伝送する段階と、
前記移動通信端末機で、前記無線カメラ電源遮断要請信号に応答してカメラ機能を処理する回路の電源を遮断させる段階と、を具備することを特徴とする移動通信端末機検索方法。
【請求項１９】
前記移動通信端末機検索方法は、
所定の表示装置で前記無線カメラ電源遮断要請信号に対応するカメラ存在表示データを受信して表示する段階をさらに具備することを特徴とする請求項１８に記載の移動通信端末機検索方法。
【請求項２０】
前記無線カメラ電源遮断要請信号は、
前記端末機に具備されたＲＦＩＤ／ＩＣタグを通じて受信されることを特徴とする請求項１８に記載の移動通信端末機検索方法。
【請求項２１】
前記カメラ機能を処理する回路の電源遮断は、
前記無線カメラ電源遮断要請信号に応答して出力され、所定のレジスタに保存される電源遮断信号によって実行されることを特徴とする請求項１８に記載の移動通信端末機検索方法。
【請求項２２】
前記検索装置で前記端末機が保安区域の外に出ることを認識して無線カメラ電源遮断解除信号を前記端末機に伝送する時、
前記所定のレジスタが電源遮断解除信号を保存することによって前記カメラ機能を処理する回路の電源遮断が解除されることを特徴とする請求項２１に記載の移動通信端末機検索方法。
【請求項２３】
保安区域に設置されて移動通信端末機と双方向近距離通信を行う検索装置で、無線認証要請信号を伝送する段階と、
前記移動通信端末機で、前記無線認証要請信号に応答して端末機固有ＩＤ情報またはカメラ存在情報を無線で伝送する段階と、
前記検索装置で、前記端末機固有ＩＤ情報またはカメラ存在情報を受信して前記端末機がカメラを内蔵していると判断すれば、前記移動通信端末機が前記保安区域に進入した時にディセーブル設定要請信号を無線で伝送する段階と、
前記移動通信端末機で、無線で受信した前記ディセーブル設定要請信号に応答してイネーブルビット信号を第１論理状態に設定する段階と、
前記移動通信端末機でカメラモードに転換するキー入力信号に応答して前記イネーブルビット信号の第１論理状態によって前記カメラ機能を動作させない段階と、を具備することを特徴とする移動通信端末機検索方法。
【請求項２４】
前記移動通信端末機検索方法は、
前記検索装置で、前記移動通信端末機が前記保安区域から出る時にはイネーブル設定要請信号を無線で伝送する段階と、
前記移動通信端末機で、無線で受信した前記イネーブル設定要請信号に応答してイネーブルビット信号を第２論理状態に設定して前記カメラ機能を動作させる段階と、をさらに具備することを特徴とする請求項２３に記載の移動通信端末機検索方法。
【発明の詳細な説明】
【技術分野】
【０００１】
本発明はカメラを内蔵した移動通信端末機に係り、特に、カメラを内蔵した移動通信端末機、これを検索するシステム及びその方法に関する。
【背景技術】
【０００２】
カメラが内蔵された携帯電話、ＰＣＳ（Ｐｅｒｓｏｎａｌ Ｃｏｍｍｕｎｉｃａｔｉｏｎ Ｓｙｓｔｅｍ）、またはＰＤＡ（Ｐｅｒｓｏｎａｌ Ｄｉｇｉｔａｌ Ａｓｓｉｓｔａｎｔ）などのような移動通信端末機を使用するユーザは相手の姿を見ながら通話できる。また、内蔵されるカメラはＤＳＣ（Ｄｉｇｉｔａｌ Ｓｔｉｌｌ Ｃａｍｅｒａ）やカムコーダなどであるので、カメラによって撮像された映像が移動通信端末機に具備される所定メモリに保存される時、ユーザはいつでも過去の映像を鑑賞できる。
【０００３】
ところが、最近このようなカメラを内蔵した移動通信端末機を所持した者が公共の場所で密かに撮影した写真を無断配布する事例が増えている。この時、密かに撮影された写真の無断配布はたまに私生活を侵害するか、または機密情報を漏らす行為になりうる。したがって、私生活侵害の可能性のある場所や情報保安維持が必要な場所などの保安区域で、移動通信端末機電源のオン／オフ状態の如何に関係なくカメラを内蔵した移動通信端末機を所持できなくする必要性がある。または、移動通信端末機にカメラが内蔵された場合に、かかる保安区域で強引にカメラ機能を一時停止させる必要性がある。
【発明の開示】
【発明が解決しようとする課題】
【０００４】
本発明が解決しようとする技術的課題は、保安区域でユーザが所持した移動通信端末機のカメラ機能が一時停止し、保安区域から出る時にカメラ機能が復帰するカメラ内蔵移動通信端末機、及びそれを具備した検索システムを提供することにある。
【０００５】
本発明が解決しようとする他の技術的課題は、保安区域でカメラ内蔵移動通信端末機のカメラ機能を一時停止させ、保安区域から出る時にカメラ機能を復帰させる移動通信端末機検索方法を提供することにある。
【課題を解決するための手段】
【０００７】
（１）：前記の技術的課題を達成するための本発明の一面による移動通信端末機は、カメラ、カメラ機能処理部、移動通信機能処理部、電源制御部、及び近距離通信インタフェース部を具備することを特徴とする。前記カメラ機能処理部は前記カメラを制御する。前記移動通信機能処理部は他の端末機と移動通信動作を行う。前記電源制御部は電源遮断信号に応答して前記カメラ機能処理部の電源を遮断させる。前記近距離通信インタフェース部は近距離通信を利用して外部の無線認証要請信号に応答して端末機固有ＩＤ情報または前記カメラの存在情報を無線で伝送し、これに対応する外部からの無線によるカメラの無線カメラ電源遮断要請信号に応答して前記電源遮断信号を発生させる。
【０００８】
（２）：前記の技術的課題を達成するための本発明の他の一面による移動通信端末機は、カメラ、カメラ機能処理部、移動通信機能処理部、キー入力部、近距離通信インタフェース部、及びイネーブルビット設定部を具備することを特徴とする。前記カメラ機能処理部は前記カメラに接続されてカメラモードに転換するキー入力信号に応答して、イネーブルビット信号の論理状態によって選択的に前記カメラ機能を動作させるとともに前記イネーブルビット信号が第１論理状態であれば前記カメラ機能をディセーブルさせ前記イネーブルビット信号が第２論理状態であれば前記カメラ機能をイネーブルさせる。前記移動通信機能処理部は前記カメラ機能処理部に接続されて通信モードに転換するキー入力信号に応答して、他の端末機と移動通信動作を行う。前記キー入力部は前記カメラ機能処理部と前記移動通信機能処理部とに前記カメラモードまたは前記通信モードに転換するキー入力信号を発生させる。前記近距離通信インタフェース部は近距離通信を利用して外部からの無線認証要請信号に応答する端末機固有ＩＤ情報またはカメラ存在情報を無線で伝送し、これに対応する外部からの無線ディセーブル設定要請信号に応答してディセーブル設定信号を発生させる。前記イネーブルビット設定部は前記近距離通信インタフェース部からの前記ディセーブル設定信号に対応する論理状態を有する前記イネーブルビット信号を前記カメラ機能処理部に生成する。
【００１０】
（３）：前記の技術的課題を達成するための本発明による前記（１）の移動通信端末機を用いた移動通信端末機検索システムは、検索装置、及び表示装置を具備することを特徴とする。前記検索装置は、移動通信端末機との近距離通信を通じて前記無線認証要請信号を伝送し、前記端末機固有ＩＤ情報またはカメラ存在情報を受信して前記端末機がカメラを内蔵していると判断すれば、前記端末機内のカメラ電源遮断を要請する前記無線カメラ電源遮断要請信号を発生させて伝送する前記外部である。前記表示装置は、前記端末機がカメラを内蔵している場合に、カメラ存在情報を表示する。
【００１１】
（４）：前記の技術的課題を達成するための本発明による前記（２）の移動通信端末機を用いた移動通信端末機検索システムは、検索装置、及び表示装置を具備することを特徴とする。前記検索装置は、移動通信端末機との近距離通信を通じて前記無線認証要請信号を伝送し、前記端末機固有ＩＤ情報またはカメラ存在情報を受信して前記端末機がカメラを内蔵していると判断すれば、前記端末機内のカメラ機能のディセーブル設定を要請する前記無線ディセーブル設定要請信号を発生させて伝送する前記外部である。前記表示装置は前記端末機がカメラを内蔵している場合に、カメラ存在情報を表示する。
【００１４】
（５）：前記の他の技術的課題を達成するための本発明の一面による移動通信端末機検索方法は、移動通信端末機と近距離通信を行う検索装置で無線認証要請信号を伝送する段階と、前記移動通信端末機で前記無線認証要請信号に応答して端末機固有ＩＤ情報またはカメラ存在情報を無線で伝送する段階と、前記検索装置で、前記端末機固有ＩＤ情報またはカメラ存在情報を受信して前記端末機がカメラを内蔵していると判断すれば、無線カメラ電源遮断要請信号を発生させて伝送する段階と、前記移動通信端末機で、前記無線カメラ電源遮断要請信号に応答してカメラ機能を処理する回路の電源を遮断させる段階と、を具備することを特徴とする。前記移動通信端末機検索方法は、所定の表示装置で前記無線カメラ電源遮断要請信号に対応するカメラ存在表示データを受信して表示する段階をさらに具備することを特徴とする。
【００１５】
（６）：前記の他の技術的課題を達成するための本発明の他の一面による移動通信端末機検索方法は、保安区域に設置されて移動通信端末機と双方向の近距離通信を行う検索装置で、無線認証要請信号を伝送する段階と、前記移動通信端末機で、前記無線認証要請信号に応答して端末機固有ＩＤ情報またはカメラ存在情報を無線で伝送する段階と、前記検索装置で、前記端末機固有ＩＤ情報またはカメラ存在情報を受信して前記端末機がカメラを内蔵していると判断すれば、前記移動通信端末機が前記保安区域に進入した時にディセーブル設定要請信号を無線で伝送する段階と、前記移動通信端末機で、無線で受信した前記ディセーブル設定要請信号に応答してイネーブルビット信号を第１論理状態に設定する段階と、前記移動通信端末機でカメラモードに転換するキー入力信号に応答して前記イネーブルビット信号の第１論理状態によって前記カメラ機能を動作させない段階と、を具備することを特徴とする。
【発明の効果】
【００１７】
本発明によるカメラ内蔵移動通信端末機はＲＦＩＤ／ＩＣタグなどを通じてカメラ存在告知信号または装置固有ＩＤを伝送できる。これにより、前記移動通信端末機を検索する検索システムはカメラ内蔵移動通信端末機が保安区域に進入する時、カメラ機能を一時停止させられ、保安区域から出る時にはカメラ機能を復帰させうる。したがって、私生活の侵害の可能性のある場所や情報保安維持が必要な場所で密かに撮影された写真が無断配布される犯罪行為を予防して、健全な社会秩序の維持に尽せられる効果がある。
【発明を実施するための最良の形態】
【００１８】
以下、図面を参照して本発明の望ましい実施形態を詳細に説明する。各図に付された同じ参照符号は同一部分を表す。
【００１９】
図１は、本発明の第１実施形態による移動通信端末機１００を具備する移動通信端末機検索システム１０のブロック図である。図１を参照すれば、本発明の第１実施形態による移動通信端末機検索システム１０は移動通信端末機１００、検索装置２００、及び表示装置３００を具備する。
【００２０】
前記移動通信端末機１００は基地局を通じて外部の他の端末機と移動通信する機能を有し、かつ近距離通信網内で近距離通信を行い、この近距離通信を利用して前記検索装置２００から入力される検索要請信号に応答してカメラ存在告知信号を無線で伝送する。ここで、前記カメラはデジタルスチルカメラ、またはカムコーダなどからなる。また、前記移動通信端末機１００はカメラ内蔵の携帯電話、ＰＣＳ、またはＰＤＡからなり、前記近距離通信はブルートゥース方式、スマートカード方式、または無線ＬＡＮ（Ｌｏｃａｌ Ａｒｅａ Ｎｅｔｗｏｒｋ）方式の通信である。このような近距離通信は前記カメラ存在告知信号を前記検索装置２００に伝送するための無線通信である。ブルートゥース方式の近距離通信は普通周波数跳躍スペクトル拡散方式を利用して相手のノードを識別し、相互通信する方式であって、携帯電話、パソコン、ＤＳＣ、プリンタ、ＰＤＡ、ゲーム機などを相互連結しているデータ通信用有線ケーブルを無線化する目的でスウェーデンのエリクソン社により開発された。スマートカード方式の近距離通信は非接触式である場合に、本体システム（例えば、リーダ器）と本体システムから無線で供給されるマイクロウェーブまたはＲＦ（Ｒａｄｉｏ Ｆｒｅｑｕｅｎｃｙ）形態の電源を受けて動作するカード間で通信が行われ、このような通信によってカードを所持した者のＩＤを確認しようとする目的で開発された。無線ＬＡＮ方式の近距離通信は、ＩＥＥＥ８０２.１１で定義されているように、個人または公衆ネットワークのＬＡＮを無線で連結させ、コンピュータ、移動通信端末機などのデバイスを使用するユーザに情報送受信での便利さを提供することを目的とする。
【００２１】
このような前記移動通信端末機１００は、カメラ１１０、カメラ機能処理モジュール１２０、移動通信機能処理モジュール１３０、レジスタ１４０、及び端末機側の近距離通信機能処理モジュール１５０を具備する。前記カメラ１１０はカメラ機能制御信号に応答して映像を撮像してアナログ映像信号を出力する。前記カメラ機能処理モジュール１２０は前記カメラ機能制御信号を生成し、前記アナログ映像信号をデジタル映像信号に変換し、変換されたデジタル映像信号を信号処理してディスプレイ装置（図示せず）を駆動するディスプレイ信号を出力する。前記移動通信機能処理モジュール１３０は所定の移動通信機能制御信号を生成し、基地局を通じて前記外部の他の端末機と移動通信する機能を有し、かつ端末機側の近距離通信機能制御信号に応答して端末機側の近距離通信データを入出力するホスト機能を有する。ここで、前記移動通信機能処理モジュール１３０は、前記ディスプレイ信号を保存する所定のメモリ（図示せず）を具備する。前記ホスト機能は、ブルートゥースホスト、スマートカードホスト、または無線ＬＡＮホスト機能をいう。
【００２２】
前記レジスタ１４０は前記カメラ１１０が内蔵されていることを知らせるカメラ存在情報を保存する。前記端末機側の近距離通信機能処理モジュール１５０は前記端末機側の近距離通信機能制御信号を生成し、前記近距離通信網内で前記端末機側の近距離通信データによる前記近距離通信を行い、この近距離通信を利用して、前記検索要請信号に応答して前記カメラ存在情報を処理した前記カメラ存在告知信号を無線で伝送する。このような端末機側の近距離通信機能処理モジュール１５０と前記カメラ機能処理モジュール１２０間には直接前記端末機側近距離通信データなどの必要なデータが送受信される。
【００２３】
前記検索装置２００は前記カメラ存在告知信号に対応するカメラ存在表示データを出力し、かつ前記近距離通信網内で前記移動通信端末機１００と近距離通信を行い、この近距離通信を利用して前記検索要請信号を無線で伝送する。
【００２４】
このような前記検索装置２００はメモリ２１０、制御部２２０、及び検索装置側の近距離通信機能処理モジュール２３０を具備する。前記メモリ２１０は所定のプロトコルによって検索要請情報を保存する。ここで、前記所定のプロトコルは、ブルートゥース方式、スマートカード方式、または無線ＬＡＮ方式の通信規約をいう。前記制御部２２０は前記検索装置側の近距離通信機能処理モジュール２３０から入力される検索装置側の近距離通信機能制御信号に応答して検索装置側の近距離通信データを入出力するとともに、前記カメラ存在告知信号に対応する前記カメラ存在表示データを出力し、かつ前記検索要請情報を読取って出力し、さらには全般的な制御を行う。前記検索装置側の近距離通信機能処理モジュール２３０は前記検索装置側の近距離通信機能制御信号を生成し、前記近距離通信網内で前記検索装置側の近距離通信データによって前記移動通信端末機１００と近距離通信を行い、この近距離通信を利用して前記検索要請情報を処理した前記検索要請信号を無線で伝送する。
【００２５】
前記表示装置３００は前記カメラ存在表示データを受信して表示する。ここで、前記表示はアラームランプ、音、または文字メッセージで表示することをいう。すなわち、カメラ１１０を内蔵した移動通信端末機１００を所持した者が検索装置２００が設置された検索エリアに進入すれば、前記表示装置３００によってＬＥＤ（Ｌｉｇｈｔ Ｅｍｉｓｓｉｏｎ Ｄｉｏｄｅ）のような所定のランプ、スピーカ、またはＬＣＤ（Ｌｉｑｕｉｄ Ｃｒｙｓｔａｌ Ｄｉｓｐｌａｙ）モニタなどを通じて警報が運営者に知らされる。
【００２６】
次に、図１の移動通信端末機検索システム１０の動作をより詳細に説明する。図２は、図１の移動通信端末機検索システムの動作説明のためのフローチャートである。図２を参照すれば、まず、カメラ１１０を内蔵した移動通信端末機１００を所持したユーザが検索装置２００が設置された図３の保安ゲートのような検索エリアに進入する（Ｓ１０）。普通、私生活の侵害の可能性のある場所や情報保安維持が必要な場所に検索装置２００が設置される。この時、近距離通信網内で移動通信端末機１００と近距離通信を行う検索装置２００は、前記近距離通信を利用して随時検索要請信号を無線で伝送しながら（Ｓ２０）、前記移動通信端末機１００からの応答を待つ。前記検索要請信号は、ブルートゥース方式、スマートカード方式、または無線ＬＡＮ方式の通信規約のような所定のプロトコルによって、検索要請情報を保存する所定メモリ２１０から出力される前記検索要請情報を処理することによって発生する。
【００２７】
これにより、基地局を通じて外部の他の端末機と移動通信動作を行い、かつ近距離通信網内で近距離通信を行う移動通信端末機１００が、前記近距離通信を利用して、前記検索要請信号に応答してカメラ存在告知信号を無線で伝送する（Ｓ３０）。前記カメラ存在告知信号は、移動通信端末機１００にカメラ１１０が内蔵されていることを知らせるカメラ存在情報を保存する所定のレジスタ１４０から出力される前記カメラ存在情報を処理することによって発生する。前記検索装置２００は前記カメラ存在告知信号が受信される時、前記カメラ存在告知信号に対応するカメラ存在表示データを出力し、表示装置３００は前記カメラ存在表示データを受信してＬＥＤ、スピーカ、またはＬＣＤモニタなどを通じてアラームランプ、音、または文字メッセージを表示する（Ｓ４０）。
【００２８】
結局、検索装置２００の運営者はアラームランプ、音、または文字メッセージなどで表示される警報を認識してカメラ１１０を内蔵した移動通信端末機１００を所持したユーザに必要な措置が行える（Ｓ５０）。すなわち、運営者はかかるユーザに検索装置２００が設置された保安区域への出入を禁止させるか、かかる保安区域でカメラ１１０を内蔵した移動通信端末機１００を携帯できなくすることができる。
【００２９】
図４は、本発明の第２実施形態による移動通信端末機１００を具備する移動通信端末機検索システム４０のブロック図である。図４を参照すれば、本発明の第２実施形態による移動通信端末機検索システム４０に具備された移動通信端末機１００は、図１の移動通信端末機１００より電源制御部１６０をさらに具備する。図４の移動通信端末機検索システムの動作は電源制御部１６０と関連した動作を除外すれば、図１のシステム１０の動作と同じである。図４で、端末機１００側の近距離通信機能処理モジュール１５０が無線で受信したカメラ電源遮断要請信号に応答して電源遮断信号を発生させる時、前記電源制御部１６０は前記電源遮断信号に応答して前記カメラ機能処理モジュール１２０の電源を遮断させる。前記カメラ電源遮断要請信号は、検索装置２００の制御部２２０がカメラ存在告知信号を受信する時に発生させて、検索装置側の近距離通信機能処理モジュール２３０を通じて無線伝送される信号である。
【００３０】
移動通信端末機１００にカメラ１１０が内蔵されたならば、端末機１００の電源のオン／オフ状態の如何を問わず、カメラ機能処理モジュール１２０の電源を強引に遮断させて保安性を増大させる他の実施形態が図５及び図６に示されている。
【００３１】
図５は、本発明の第３実施形態による移動通信端末機１００を具備する移動通信端末機検索システム５０のブロック図である。図５を参照すれば、本発明の第３実施形態による移動通信端末機検索システム５０は、移動通信端末機１００、検索装置２００、及び表示装置３００を具備する。図５で、前記移動通信端末機１００は基地局を通じて外部の他の端末機と移動通信動作を行い、かつ近距離通信網内で近距離通信を行って、無線認証要請信号に応答して端末機固有ＩＤ情報またはカメラ存在情報を無線で伝送し、さらに無線で受信したカメラ電源遮断要請信号に応答してカメラ機能を処理する回路の電源を遮断させる。前記検索装置２００は前記近距離通信網内で前記移動通信端末機１００と近距離通信を行い、前記無線認証要請信号を無線で伝送する一方、前記端末機固有ＩＤ情報またはカメラ存在情報を受信して前記端末機１００がカメラを内蔵したと判断すれば、前記カメラ電源遮断要請信号を発生させて無線伝送する。前記表示装置３００は前記カメラ電源遮断要請信号に対応するカメラ存在表示データを受信して表示する。
【００３２】
図５で、前記移動通信端末機１００は、カメラ１１０、カメラ機能処理モジュール１２０、移動通信機能処理モジュール１７０、電源制御部１８０、及びＲＦＩＤ／ＩＣタグ（Ｒａｄｉｏ Ｆｒｅｑｕｅｎｃｙ Ｉｄｅｎｔｉｆｉｃａｔｉｏｎ／Ｉｎｔｅｇｒａｔｅｄ Ｃｉｒｃｕｉｔ ｔａｇ）１９０を具備する。前記カメラ１１０は、図１のカメラ１１０でのように、カメラ機能制御信号に応答して映像を撮像して映像信号を出力する。前記カメラ機能処理モジュール１２０は、図１のカメラ機能処理モジュール１２０でのように、前記カメラ機能制御信号を生成する一方、前記映像信号を処理してディスプレイ信号を出力する。前記移動通信機能処理モジュール１７０は、図１の移動通信機能処理モジュール１５０でのように、前記移動通信機能制御信号を生成し、基地局を通じて前記外部の他の端末機と移動通信動作を行う。
【００３３】
前記電源制御部１８０は前記ＲＦＩＤ／ＩＣタグ１９０から入力された電源遮断信号に応答して前記カメラ機能処理モジュール１２０の電源を遮断させる。前記ＲＦＩＤ／ＩＣタグ１９０は無線認証要請信号に応答して近距離通信を利用して端末機固有ＩＤ情報またはカメラ存在情報を無線で伝送し、前記検索装置２００から無線で受信したカメラ電源遮断要請信号に応答して前記電源遮断信号を発生させる。前記ＲＦＩＤ／ＩＣタグ１９０は、極小チップであって、スマートカードのように自体には電源がないが、リーダ器、すなわち、検索装置２００で発生させる前記無線認証要請信号または前記カメラ電源遮断要請信号を電源として利用する。すなわち、前記検索装置２００で発生する前記無線認証要請信号及び前記カメラ電源遮断要請信号はマイクロウェーブまたはＲＦ形態の無線信号であり、このような無線信号によって前記検索装置２００と前記移動通信端末機１００に具備されたＲＦＩＤ／ＩＣタグ１９０間に双方向近距離通信が行われる。
【００３４】
また、前記ＲＦＩＤ／ＩＣタグ１９０は、ユーザが前記端末機１００を保安区域から外に持ち出す時、無線で受信したカメラ電源遮断解除信号に応答して電源遮断解除信号を発生させる。この時、前記電源制御部１８０は前記電源遮断解除信号に応答して前記カメラ機能処理モジュール１２０の電源遮断を解除する。前記カメラ電源遮断解除信号は、後述するように前記検索装置２００で発生する。
【００３５】
図５で、前記検索装置２００はＩＤメモリ部２４０、制御部２５０、及びタグ認識モジュール２６０を具備する。前記ＩＤメモリ部２４０はカメラ１１０内蔵端末機１００のＩＤを保存する。すなわち、前記ＩＤメモリ部２４０は保安区域への出入が許容されていない端末機ＩＤを保存する。前記移動通信端末機１００の前記ＲＦＩＤ／ＩＣタグ１９０で送信される内容が前記端末機固有ＩＤ情報ではなく、カメラ存在情報である場合には、ＩＤメモリ部２４０は不要である。前記制御部２５０は前記端末機固有ＩＤ情報が前記ＩＤメモリ部２４０のＩＤのうち何れか１つであると判断するか、前記ＲＦＩＤ／ＩＣタグ１９０から伝送されたカメラ存在情報が前記移動通信端末機１００にカメラが内蔵されていることを表す情報であると判断すれば、前記カメラ電源遮断要請信号を発生させる。前記タグ認識モジュール２６０は前記近距離通信によって、前記無線認証要請信号及び前記カメラ電源遮断要請信号を無線で伝送する。また、前記制御部２５０は、前記端末機１００が保安区域の外に出ることを認識して、前記タグ認識モジュール２６０を通じてカメラ電源遮断解除信号が前記端末機１００側に無線伝送されるように制御できる。前記端末機１００が保安区域の外に出ることを認識する方法は、保安区域の出口に設置された保安ゲート（図３）を利用できる。図３に示された保安ゲートの内部に前記検索装置２００が具備される。
【００３６】
図６は、本発明の第４実施形態による移動通信端末機１００を具備する移動通信端末機検索システム６０のブロック図である。図６のシステムは、移動通信端末機１００がロックキーレジスタ１８１を具備することを除外すれば、図５と同じである。前記ロックキーレジスタ１８１は、前記ＲＦＩＤ／ＩＣタグ１９０からの前記電源遮断信号を保存する。前記電源遮断信号は、前記ロックキーレジスタ１８１に保存された後、前記端末機１００に電源が供給される時、前記電源制御部１８０に出力される。図５の説明で記載された前記電源遮断解除信号も前記ロックキーレジスタ１８１に保存される。すなわち、ユーザが前記端末機１００を保安区域から外に持ち出す時、前記ＲＦＩＤ／ＩＣタグ１９０が無線で受信したカメラ電源遮断解除信号に応答して電源遮断解除信号を発生させれば、前記ロックキーレジスタ１８１は前記電源遮断解除信号を保存する。前記電源制御部１８０は前記電源遮断解除信号に応答して前記カメラ機能処理モジュール１２０の電源遮断を解除する。
【００３７】
図７は、本発明の第５実施形態による移動通信端末機７００を具備する移動通信端末機検索システム７０の斜視図である。図７を参照すれば、本発明の第５実施形態による移動通信端末機検索システム７０は移動通信端末機７００、及び検索装置８００を具備する。
【００３８】
前記移動通信端末機７００は、図１、及び図４ないし図６の移動通信端末機１００でのように、基地局を通じて外部の他の端末機と移動通信する機能を有し、かつカメラ機能も備える。また、前記移動通信端末機７００は双方向近距離通信を通じて端末機固有ＩＤ情報（装置固有番号など）またはカメラ存在情報を無線で伝送する。特に、本発明の第５実施形態による移動通信端末機７００は前記検索装置８００から無線で受信したイネーブルまたはディセーブル設定要請信号それぞれに応答してイネーブルビット信号の論理状態を設定する。前記端末機固有ＩＤ情報またはカメラ存在情報は前記検索装置８００から伝送される無線認証要請信号に応答して伝送される。前記イネーブルビット信号の論理状態が設定されれば、前記移動通信端末機７００はその論理状態によってカメラモードに転換するキー入力信号に応答して選択的にカメラ機能をアクティブまたは、遮断させる。前述したように、双方向近距離通信にはＲＦＩＤ／ＩＣタグが利用される。それ以外にも、スマートカード、無線ＬＡＮ、またはブルートゥース方式の通信を利用できる。
【００３９】
前記検索装置８００は検索ゲート／検索バー９００に内蔵される形態で保安区域に設置される。また、前記検索装置８００は前記双方向近距離通信を通じて前記端末機固有ＩＤ情報または前記カメラ存在情報を受信して、前記移動通信端末機７００にカメラが内蔵されたと判断した場合に、前記移動通信端末機７００が前記保安区域に進入した時には前記ディセーブル設定要請信号を無線で伝送する。前記検索装置８００は前記移動通信端末機７００カメラが内蔵されたと判断すれば、前記移動通信端末機７００が前記保安区域から出る時には前記イネーブル設定要請信号を無線で伝送する。前記検索装置８００は保安区域でユーザの出入時に無線認証要請信号を伝送し、これに応答して前記移動通信端末機７００は前記端末機固有ＩＤ情報またはカメラ存在情報を無線で伝送する。
【００４０】
図８は、図７の移動通信端末機７００の具体的なブロック図である。図８を参照すれば、図７の移動通信端末機７００はカメラ７１０、カメラ機能処理部７２０、移動通信機能処理部７３０、キー入力部７４０、表示部７５０、近距離通信インタフェース部７６０、及びイネーブルビット設定部７７０を具備する。
【００４１】
前記カメラ７１０はカメラ機能アクティブ信号に応答して映像を撮像して映像信号を出力する。ここで、前記カメラ７１０はＤＳＣ、またはカムコーダなどからなる。前記カメラ機能処理部７２０はカメラモードに転換するキー入力信号に応答して、前記イネーブルビット設定部７７０から入力されたイネーブルビット信号の論理状態によって選択的に前記カメラ機能アクティブ信号を生成し、さらにカメラ７２０からの前記映像信号を処理してディスプレイ信号を出力する。前記表示部７５０は前記ディスプレイ信号を処理してユーザがみられるように表示する。
【００４２】
例えば、イネーブルビット信号が第１論理状態（論理ロー状態）である場合には、前記カメラ機能処理部７２０は前記カメラモードに転換するキー入力信号が受信されても前記カメラ機能アクティブ信号を生成しない。前記カメラ機能アクティブ信号が生成されなければ、前記カメラ７１０は映像を撮像できない。この時、前記カメラ機能アクティブ信号が生成されない場合に、前記カメラ７１０は前記表示部７５０を通じてブラック、ホワイト、またはウォータマークのような特定パターンが表示できる映像信号を出力する場合もある。また、撮像された映像の著作権保護のために、前記カメラ７１０は端末機固有ＩＤ情報が処理されたデジタルウォータマークが生成できることを前提とする。周知のように、デジタルウォータマークはデジタル形式になっている知的財産に対する著作権保護のために挿入されるデジタルデータであって、前記カメラ７１０によって生成されるデジタル映像信号に挿入される。デジタルウォータマークは見えず、特殊プログラムによって解読されうる。ユーザが保安区域の中に無断侵入するか、図５でのように、出入が許容された端末機固有ＩＤ情報を有する端末機を所持したユーザが保安区域の中に入る場合のために、前記イネーブルビット信号が第１論理状態に設定される代わりに、前記カメラ７１０が生成したデジタル映像信号にデジタルウォータマークを挿入させることも可能である。デジタルウォータマークが挿入される場合に、端末機固有ＩＤ情報を解読することによって保安区域の内外で撮像した映像の知的財産保護はもとより、無断侵入者や不当な情報の流出、または私生活の侵害を追跡できる。
【００４３】
逆に、イネーブルビット信号が第２論理状態（論理ハイ状態）である場合には、前記カメラ機能処理部７２０は前記カメラモードに転換するキー入力信号が受信される時、前記カメラ機能アクティブ信号を生成する。ここで、前記カメラモードに転換するキー入力信号は、ＵＩ（Ｕｓｅｒ Ｉｎｔｅｒｆａｃｅ）プログラムによって前記表示部７５０に表示されるモードメニューを通したユーザの選択によって発生させうる。または、前記カメラモードに転換するキー入力信号は前記移動通信端末機７００上に設置された所定短縮キーをユーザが選択する時に発生させうる。
【００４４】
前記移動通信機能処理部７３０は、図１及び図４の移動通信機能処理モジュール１３０、または図５及び図６の移動通信機能処理モジュール１７０のように、通信モードへの転換のためのキー入力信号に応答して、基地局を通じて外部の他の端末機と移動通信動作を行う。前記キー入力部７４０は前記カメラモードまたは前記通信モードに転換するキー入力信号を発生させる。その外にも、ユーザは一般的な移動通信端末機と同様に、前記キー入力部７４０を通じて前記表示部７５０に現れるメニューで短文メッセージを送受信するモード、ゲームモード、インタネットモードなどを選択できる。
【００４５】
前記近距離通信インタフェース部７６０は双方向近距離通信を通じて端末機固有ＩＤ情報またはカメラ７１０の存在情報を無線で伝送する一方、前記検索装置８００から無線で受信したイネーブルまたはディセーブル設定要請信号それぞれに応答してイネーブルまたはディセーブル設定信号を発生させる。前記イネーブルビット設定部７７０は前記イネーブルまたはディセーブル設定信号それぞれに応答して前記イネーブルビット信号を第２論理状態または第１論理状態に保存して出力する。前記イネーブルビット信号は１つのビットデジタル信号を保存するレジスタに保存される。前記したように、前記双方向近距離通信にはＲＦＩＤ／ＩＣタグ、スマートカード、無線ＬＡＮ、またはブルートゥース方式の通信が利用される。
【００４６】
次に、図７の移動通信端末機検索システム７０の動作をより詳細に説明する。図９は、ユーザが保安区域の中に入る時の、図７の移動通信端末機検索システム７０の動作説明のためのフローチャートである。図９を参照すれば、まず、カメラ７１０を内蔵した移動通信端末機７００を所持したユーザが検索装置８００を内蔵している検索ゲート／検索バー９００が設置された検索エリアに進入する（Ｓ３１０）。検索装置８００は私生活の侵害の可能性のある場所や情報保安維持が必要な場所のような保安区域に設置される。この時、近距離通信網内で移動通信端末機７００と双方向近距離通信を行う検索装置８００は、前記双方向近距離通信を利用して随時無線認証要請信号を無線で伝送し、これに応答して前記移動通信端末機７００から受信される端末機固有ＩＤ情報または前記カメラ７１０の存在情報から、前記移動通信端末機７００にカメラ７１０が内蔵されているかどうかを判断する（Ｓ３２０）。前記無線認証要請信号は、前述したように、ＲＦＩＤ／ＩＣタグ方式、ブルートゥース方式、スマートカード方式、または無線ＬＡＮ方式の通信規約のような所定プロトコルによって、双方向近距離通信によって発生する。
【００４７】
これにより、検索装置８００が前記移動通信端末機７００にカメラ７１０が内蔵されたと判断すれば、前記移動通信端末機７００が前記保安区域に進入する場合であるので、ディセーブル設定要請信号を無線で伝送する。この時、近距離通信インタフェース部７６０は無線で受信したディセーブル設定要請信号に応答してディセーブル設定信号を発生させ、イネーブルビット設定部７７０は前記ディセーブル設定信号に応答してイネーブルビット信号を第１論理状態に保存して出力する（Ｓ３３０〜Ｓ３４０）。
【００４８】
図１０は、ユーザがＵＩメニュによってカメラ機能を駆動させる時の、図７の移動通信端末機検索システム７０の動作説明のためのフローチャートである。図１０を参照すれば、ＵＩプログラムによって前記表示部７５０に表示されるモードメニューを通じてユーザがカメラモードを選択する時、前記イネーブルビット信号の論理状態によって前記カメラ機能処理部７２０の初期化ルーチン駆動の如何が決定される（Ｓ４１０）。すなわち、ユーザが保安区域の中に入ることによって図９のように前記イネーブルビット信号が第１論理状態に設定されれば、前記カメラ機能処理部７２０は初期化ルーチン駆動が不可能になって前記カメラモードに転換するキー入力信号が受信されてもカメラ機能アクティブ信号を生成しない（Ｓ４２０）。この時には、前述したように、前記カメラ７１０は前記表示部７５０を通じてブラック、ホワイト、またはウォータマークのような特定パターンを表示させる映像信号を出力できる。または、ユーザが保安区域の中に無断侵入するか、出入が許容された端末機を所持したユーザが保安区域の中に入った場合のために、前記イネーブルビット信号が第１論理状態に設定される代わりに、前記カメラ７１０によって生成されるデジタル映像信号に端末機固有ＩＤ情報を利用したデジタルウォータマークが挿入されるようにすることもできる。
【００４９】
前記カメラモードに転換するキー入力信号は、表示部７５０に表示されるＵＩモードメニューまたは前記移動通信端末機７００上に設置された所定短縮キーをユーザが選択する時に発生する。カメラ７１０を内蔵した移動通信端末機７００を所持したユーザが保安区域の外にある場合に、前記イネーブルビット信号が第１論理状態に設定されないので、前記カメラ機能処理部７２０の初期化ルーチン駆動が可能となる（Ｓ４３０）。
【００５０】
図１１は、ユーザが保安区域の外に出る時の、図７の移動通信端末機検索システム７０の動作説明のためのフローチャートである。図１１を参照すれば、まず、カメラ７１０を内蔵した移動通信端末機７００を所持したユーザが保安区域から外に出るために検索ゲート／検索バー９００が設置された検索エリアに進入する（Ｓ５１０）。前記移動通信端末機７００が前記保安区域から出る時、図９のような方法で検索装置８００が前記移動通信端末機７００にカメラ７１０が内蔵されているかどうかを判断し（Ｓ５２０）、カメラ７１０が内蔵されたと判断すれば、前記イネーブルビット信号を設定するための動作を行う（Ｓ５３０）。前記イネーブルビット信号を設定するために検索装置８００はイネーブル設定要請信号を無線で伝送し、この時、近距離通信インタフェース部７６０が無線で受信した前記イネーブル設定要請信号に応答してイネーブル設定信号を発生させることによって、イネーブルビット設定部７７０は前記イネーブル設定信号に応答してイネーブルビット信号を第２論理状態に保存して出力する（Ｓ５４０、Ｓ５６０）。前記イネーブルビット信号が第２論理状態に設定されれば、前記カメラ機能処理部７２０は初期化ルーチン駆動が可能になって前記カメラモードに転換するキー入力信号が受信される時、カメラ機能アクティブ信号を生成する。ところが、カメラ７１０を内蔵した移動通信端末機７００を所持したユーザが不正に保安区域に入ってから出てくる時には、前記イネーブルビット信号が第２論理状態に設定されており、これによりユーザはカメラ機能を使用したと推定されるので、機密流出を防止するために前記検索装置８００で不正入手を知らせるアラーム音が鳴る（Ｓ５５０）。この不正入手アラーム音によって検索ゲート／検索バー９００を運営する保安要員は移動通信端末機７００を押収するか、または映像データを保存するメモリを消すなどの必要な措置をとれる。
【００５１】
図１２は、複数の地域に設置された複数の移動通信端末機検索システム１０、４０〜７０を管理するシステム１２００の一例を示すブロック図である。図１２を参照すれば、前記移動通信端末機検索システム１０、４０〜７０を管理するシステム１２００は、電話線のようにいろいろな人が共有するように設置された公衆網４００、複数の地域に設置された複数の検索装置２００または８００（以下２００／８００と記す）、多重ポート５００、及びコンピュータ６００を具備する。
【００５２】
前記複数の地域に設置された複数の検索装置２００／８００の動作は、図１及び図４〜図７の本発明の第１実施形態ないし第５実施形態で説明された通りである。前記複数の地域に設置された複数の検索装置２００／８００は、前記移動通信端末機が保安区域に進入する時、カメラ機能が一時停止するようにでき、保安区域から出る時にはカメラ機能を復帰させうる。カメラ機能を一時停止させるために、前記検索装置２００／８００はカメラ電源遮断要請信号またはカメラ機能ディセーブル設定要請信号を発生させる。また、一時停止したカメラ機能を原状復帰させるために、前記検索装置２００／８００はカメラ電源遮断解除信号またはカメラ機能イネーブル設定要請信号を発生させる。特に、前記移動通信端末機にカメラが内蔵されたと判断すれば、前記検索装置２００／８００は前記カメラ電源遮断要請信号または前記カメラ機能ディセーブル設定要請信号に対応するカメラ存在表示データを出力する。
【００５３】
前記多重ポート５００は前記公衆網４００を通じて前記検索装置２００／８００それぞれから前記カメラ存在表示データを受信して１つの経路に出力する。すなわち、前記多重ポート５００は多重入力信号を受けて１つの回線に出力するインタフェース装置に該当する。前記コンピュータ６００は前記多重ポート５００を通じて受信される前記検索装置２００／８００からのカメラ存在表示データを保存管理し、そのリストを表示する。このコンピュータ６００を運営する運営者は保安区域に出入するユーザまたは端末機ＩＤを管理でき、その人員数の把握や特定特別監視対象ＩＤを把握して効率的に保安区域を運営できる。
【００５４】
前述したように本発明の第１ないし第４実施形態による移動通信端末機検索システム１０、４０〜６０では、移動通信端末機１００と近距離通信を行う検索装置２００が検索要請信号を無線で伝送することによって、移動通信端末機１００は前記検索要請信号に応答してカメラ存在告知信号を無線で伝送する。これにより、運営者は前記検索装置２００が設置された検索エリアに進入したユーザがカメラ１１０を内蔵した移動通信端末機１００を所持しているかを、表示装置３００を通じて容易に認識できる。また、検索装置２００は、前記端末機１００側に無線認証要請信号を無線で伝送し、これに対応する前記端末機１００側からの端末機固有ＩＤ情報またはカメラ存在情報を受信して前記端末機１００がカメラ１１０を内蔵していると判断すれば、前記カメラ電源遮断要請信号を発生させることができ、前記端末機１００が保安ゲートを出る時はカメラ電源遮断解除信号を発生させることができる。
【００５５】
また、本発明の第５実施形態による移動通信端末機検索システム７０では、検索装置８００を通じて移動通信端末機７００にカメラ７１０が内蔵されていると判断すれば、前記移動通信端末機７００が前記保安区域に進入する時にはディセーブル設定要請信号を無線で伝送し、前記保安区域から出る時にはイネーブル設定要請信号を無線で伝送する。これにより、前記移動通信端末機７００は無線で受信した前記イネーブルまたはディセーブル設定要請信号それぞれに応答してイネーブルビット信号の論理状態を設定することによって、前記イネーブルビット信号の論理状態によってカメラモードに転換するキー入力信号に応答して選択的にカメラ７１０の機能をアクティブまたは遮断させることができる。
【００５６】
以上により本発明の最適な実施形態が開示された。ここで特定の用語が使われたが、これはただ本発明を説明するための目的で使われたものであって、意味限定や特許請求の範囲に記載された本発明の範囲を制限するために使われたものではない。したがって、本技術分野の当業者であれば、これより多様な変形及び均等な他の実施形態が可能である点が理解できるであろう。したがって、本発明の真の技術的保護範囲は特許請求の範囲の技術的思想により定められねばならない。
【産業上の利用可能性】
【００５７】
本発明によるカメラを内蔵した移動通信端末機は、携帯電話、ＰＣＳ、またはＰＤＡなどのような移動通信端末機である場合があり、このような移動通信端末機を検索するシステムは、私生活の侵害の可能性のある場所や情報保安維持が必要な場所などの保安区域に設置される保安ゲートに利用されうる。
【図面の簡単な説明】
【００５８】
【図１】本発明の第１実施形態による移動通信端末機を具備する移動通信端末機検索システムのブロック図である。
【図２】図１の移動通信端末機検索システムの動作説明のためのフローチャートである。
【図３】検索装置が設置された保安ゲートの一例を示す斜視図である。
【図４】本発明の第２実施形態による移動通信端末機を具備する移動通信端末機検索システムのブロック図である。
【図５】本発明の第３実施形態による移動通信端末機を具備する移動通信端末機検索システムのブロック図である。
【図６】本発明の第４実施形態による移動通信端末機を具備する移動通信端末機検索システムのブロック図である。
【図７】本発明の第５実施形態による移動通信端末機を具備する移動通信端末機検索システムの斜視図である。
【図８】図７の移動通信端末機の具体的なブロック図である。
【図９】ユーザが保安区域の中に入る時の、図７の移動通信端末機検索システムの動作説明のためのフローチャートである。
【図１０】ユーザがＵＩメニューによってカメラ機能を駆動させる時の、図７の移動通信端末機検索システムの動作説明のためのフローチャートである。
【図１１】ユーザが保安区域の外に出る時の、図７の移動通信端末機検索システムの動作説明のためのフローチャートである。
【図１２】複数の地域に設置された移動通信端末機検索システムを管理するシステムの一例を示すブロック図である。
【符号の説明】
【００５９】
１０    検索システム
１００    移動通信端末機
１１０    カメラ
１２０    カメラ機能処理モジュール
１３０    移動通信機能処理モジュール
１４０    カメラ存在情報保存レジスタ
１５０    端末機側近距離通信機能処理モジュール
２００    検索装置
２１０    メモリ
２２０    制御部
２３０    検索装置側近距離通信機能処理モジュール
【図１】
0004820066.tif 000002
【図２】
0004820066.tif 000003
【図３】
0004820066.tif 000004
【図４】
0004820066.tif 000005
【図５】
0004820066.tif 000006
【図６】
0004820066.tif 000007
【図７】
0004820066.tif 000008
【図８】
0004820066.tif 000009
【図９】
0004820066.tif 000010
【図１０】
0004820066.tif 000011
【図１１】
0004820066.tif 000012
【図１２】
0004820066.tif 000013